(57)【要約】【課題】体のマッサージを当てる部分に応じて、マッサージ部を変化させることができる複数形態の振動マッサージ器を提供する。【解決手段】  本考案は一種の振動マッサージ器(1)の構造で、１つの底座(10)内に１つの振動装置(11)が設置され、振動装置(11)は両側下方に固定部(111)を具備し、螺固体(112)により底座(10)内部に固定され、底座(10)は４隅に螺孔(14)を具備し、螺組体(15)によりマッサージ器(20)と結合され、１つのマッサージ器(20)は上面にマッサージ部(21)を具備し、一端にスイッチ(22)を具備し、一側辺に数個の調整ボタン(23)を具備する。【選択図】図２
0003111686.tif 000002
【実用新案登録請求の範囲】
【請求項１】
１つの底座(10)内に１つの振動装置(11)が設置され、
該振動装置(11)は両側下方に固定部(111)を具備し、
螺固体(112)により底座(10)内部に固定され、
該底座(10)は４隅に螺孔(14)を具備し、
螺組体(15)によりマッサージ器(20)と結合され、
該マッサージ器(20)は
上面にマッサージ部(21)を具備し、
一端にスイッチ(22)を具備し、
該スイッチ(22)は電線(221)を具備し、
一側辺に数個の調整ボタン(23)を具備することにより、振動の強弱を調整することができる構造を特徴とする振動マッサージ器。
【請求項２】
該マッサージ部(21)は凹弧・凸面・双凹弧の形状を有してもよいことを特徴とする請求項１記載の振動マッサージ器。
【請求項３】
該振動装置(11)は１つの側に偏心軸(12)を具備し、もう１つの側に電線(13)を具備することを特徴とする請求項１記載の振動マッサージ器。
【考案の詳細な説明】
【技術分野】
【０００１】
本考案は一種の振動マッサージ器の構造で、特に、体のマッサージを当てる部分に応じて、マッサージ部を変化させることができる複数形態の振動マッサージ器に関するものである。
【背景技術】
【０００２】
従来のマッサージ器は大きく分けて手動式マッサージ器と電動式マッサージ器とに分類することができるが、実際の使用時、下記問題があり、改良が待たれている。
【０００３】
１．手動式マッサージ器は実際の使用時、手で持ちながらマッサージを行なう必要がある為、体力を消耗したり、又、力を入れ過ぎれば、怪我或いは、事故になったりする問題がある。
【０００４】
２．電動式マッサージ器は一般的にモーターを原動力とし、マッサージを行なうことができるが、マッサージ形態が固定式であり、体の各部に合わせた設計ではない為、各部のマッサージに最適であるとは言い難い。
【０００５】
従って、従来のマッサージ器は実際使用する時、実用性に欠けると言う問題を解決した構造の一種のマッサージ器を開発するかが、関係業界では開発目標となっている。
【０００６】
本考案人は上記課題に取り組み、関係する製品の開発及び設計に従事し、上記の目標に焦点をしぼり、研究を行ない、設計もより精密になり、試験と評価を繰り返し、ついに実用性のある本考案が完成した。
【考案の開示】
【考案が解決しようとする課題】
【０００７】
本考案は、体のマッサージを当てる部分に応じて、マッサージ部を変化させることができる複数形態の振動マッサージ器を提供することを課題とする。
【課題を解決するための手段】
【０００８】
主に１つの底座(10)内に１つの振動装置(11)が設置され、
振動装置(11)は両側下方に固定部(111)を具備し、
螺固体(112)により底座(10)内部に固定され、
底座(10)は４隅に螺孔(14)を具備し、
螺組体(15)によりマッサージ器(20)と結合され、
１つのマッサージ器(20)は上面にマッサージ部(21)を具備し、
一端にスイッチ(22)を具備し、一側辺に数個の調整ボタン(23)を具備する構造により本考案の振動マッサージ器(1)を提供することができる。
【考案を実施するための最良の形態】
【０００９】
本考案の構造の特徴及びその効果を以下に実施例とそれに合わせた図式及び詳細な説明を列挙し、本考案の長所を詳述する。
【００１０】
図１、２は本考案の外観図及び組み合わせ分解図であり、
一種の振動マッサージ器(1)の構造で、
１つの底座(10)内に１つの振動装置(11)が設置され、
該振動装置(11)は両側下方に固定部(111)を具備し、
螺固体(112)により底座(10)内部に固定され、
且つ、振動装置(11)は１つの側に偏心軸(12)を具備し、
もう１つの側に電線(13)を具備し、
該底座(10)は４隅に螺孔(14)を具備し、
螺組体(15)によりマッサージ器(20)と結合され、
該マッサージ器(20)は
上面にマッサージ部(21)を具備し、
該マッサージ部(21)は凹弧・凸面・双凹弧の形状を有してもよく、
一端にスイッチ(22)を具備し、
該スイッチ(22)は電線(221)を具備し、
一側辺に数個の調整ボタン(23)を具備することにより、振動の強弱を調整することができ、
上記構造によりスイッチ(22)をオンにすることにより、振動マッサージ器(1)を使用することができる。
【００１１】
図３、４は本考案実施例の振動状態図及び使用状態参考図(一)であり、
振動マッサージ器(1)のマッサージ部(21)は凹弧形状でもよく、床(5)上においた振動マッサージ器(1)上に人体腰部(2)が当たるように使用者が仰向けになり、使用することにより、人体腰部(2)をマッサージすることができる。
【００１２】
図５は本考案実施例の使用状態参考図(二)であり、
振動マッサージ器(1)のマッサージ部(21)は凸面形状でもよく、床(5)上においた振動マッサージ器(1)上に人体背部(3)が当たるように使用者が仰向け或いは横になり、使用することにより、人体背部(3)をマッサージすることができる。
【００１３】
図６は本考案実施例の使用状態参考図(三)であり、
振動マッサージ器(1)のマッサージ部(21)は双凹弧形状でもよく、床(5)上においた振動マッサージ器(1)上に人体脚部(4)が当たるように使用者が仰向け或いは横になり、使用することにより、人体脚部(4)をマッサージすることができる。
【００１４】
上記は本考案の考案実施例について本創作の技術及び特徴を具体に説明するもので、熟知した技術者が本創作の延長線上で修正作業を行なっても本創作の権利範囲内である。
【図面の簡単な説明】
【００１５】
【図１】本考案の外観図である。
【図２】本考案の組み合わせ分解図である。
【図３】本考案実施例の振動状態図である。
【図４】本考案の使用状態参考図(一)である。
【図５】本考案の使用状態参考図(二)である。
【図６】本考案の使用状態参考図(三)である。
【符号の説明】
【００１６】
1      振動マッサージ器
10     底座
11     振動装置
111    固定部
112    螺固体
12     偏心軸
13     電線
14     螺孔
15     螺組体
20     マッサージ器
21     マッサージ部
22     スイッチ
221    電線
23     調整ボタン
2      人体腰部
3      人体背部
4      人体脚部
5      床
【図１】
0003111686.tif 000003
【図２】
0003111686.tif 000004
【図３】
0003111686.tif 000005
【図４】
0003111686.tif 000006
【図５】
0003111686.tif 000007
【図６】
0003111686.tif 000008